(57)【要約】  本発明は、貫通開口を備えた第１接触部分を有するデュアル型端子に関する。第１接触部分に類似の第２接触部分も貫通開口を有し、この第２接触部分は、第１接触部分の開口と第２接触部分の開口とが同一線上に並ぶように配置される。デュアル型端子は、回路コネクタ部分をも有しており、この回路コネクタ部分は、第１接触部分及び第２接触部分の間に配備されて、第１接触部分及び第２接触部分に対する電気的接続を容易にする。
2009526369.tif 000002
【特許請求の範囲】
【請求項１】
第１接触部分を貫通して形成された開口を有する第１接触部分と、
第２接触部分を貫通して形成された開口を有する第２接触部分と、
前記第１接触部分と前記第２接触部分との間に配備される回路コネクタ部分と
を含むデュアル型端子であって、前記第１接触部分及び前記第２接触部分は、前記第１接触部分の前記開口が前記第２接触部分の前記開口と整列するように配置され、前記回路コネクタ部分は前記第１接触部分及び前記第２接触部分を連結する、デュアル型端子。
【請求項２】
前記第１接触部分及び前記第２接触部分がＭスロット端子である、請求項１に記載のデュアル型端子。
【請求項３】
前記デュアル型端子がＵ字形の形状に配置され、その場合、前記第２接触部分がほぼ平行に前記第１接触部分の下側に配置され、前記回路コネクタ部分が、前記第１及び第２接触部分の間にほぼ垂直な角度で延在している、請求項１に記載のデュアル型端子。
【請求項４】
前記デュアル型端子は単一の金属シートから形成される、請求項１に記載のデュアル型端子。
【請求項５】
前記第１接触部分の前記開口を貫通して前記第２接触部分の前記開口の中に延びるデバイス端子をさらに含み、前記デバイス端子は前記第１接触部分及び前記第２接触部分に電気的に接続される、請求項１に記載のデュアル型端子。
【請求項６】
前記回路コネクタ部分が、リードフレームにハンダ付けされ、プラスチックフォームによって所定位置に保持される、請求項１に記載のデュアル型端子。
【請求項７】
前記第１部分が前記プラスチックフォームによって所定位置に保持される、請求項６に記載のデュアル型端子。
【請求項８】
開口を有する第１接触部分であって、前記第１接触部分の前記開口の中に配置されてクリップを形成する２つ以上のフランジを備えた第１接触部分と、
開口を有する第２接触部分であって、前記第１接触部分の前記開口の内部においてクリップを形成する２つ以上のフランジを備えた第２接触部分と、
前記第１接触部分と前記第２接触部分との間に配置されて、前記第１接触部分及び前記第２接触部分を連結する回路コネクタ部分と、
前記第１接触部材の前記開口を貫通して配備されかつ前記第２接触部材の前記開口の中に延びるブレード端子と
を含むデュアル型端子であって、前記第１接触部分及び前記第２接触部分は、前記第１接触部分の前記開口が前記第２接触部分の前記開口と整列するように配置され、前記第１接触部分の前記クリップ及び前記第２接触部分の前記クリップは、前記デュアル型端子及び前記ブレード端子の間の電気的接続を容易にするための前記ブレードに対する接触表面を形成する、デュアル型端子。
【請求項９】
前記デュアル型端子がＵ字形の形状に配置され、その場合、前記第２接触部分がほぼ平行に前記第１接触部分の下側に配置され、前記回路コネクタ部分が、前記第１及び第２接触部分の間にほぼ垂直な角度で延在している、請求項８に記載のデュアル型端子。
【請求項１０】
前記デュアル型端子は単一の金属シートから形成される、請求項８に記載のデュアル型端子。
【請求項１１】
前記回路コネクタがリードフレームに接続され、前記回路コネクタが、前記リードフレームを支持するプラスチックフォームによって所定位置に保持される、請求項８に記載のデュアル型端子。
【請求項１２】
前記第１接触部分も、前記プラスチックフォームの内部において所定位置に保持される、請求項１１に記載のデュアル型端子。
【発明の詳細な説明】
【背景技術】
【０００１】
関連出願の相互参照
本出願は、２００６年２月８日に出願された米国仮特許出願第６０／７７１，３１９号明細書の利益を主張する。この仮出願の開示内容は参照によって本明細書に援用される。
【技術分野】
【０００２】
本発明は、デュアル型Ｍスロット端子の構造に関するものである。
【０００３】
Ｍスロットは（Ｉ／Ｈスロットと共に）、電気的接続を作り出すために当業界において用いられる機械的接続である。典型的なＭスロットは、ブレード端子として知られるオス型端子を受け入れるように構成されるメス型部材（例えばＭスロット端子）を有する。ブレード端子がＭスロットに差し込まれると電気的接続が完成する。Ｍスロット端子を用いることによって、デバイスに対するリードフレームのような、回路組み立て用の清浄かつ確実な電気的接続が提供される。Ｍスロットは、また、その小型化構造によって全体のパッケージサイズが小さくなる点からも理想的である。ただ、１つのＭスロットの構造は欠点を有する。例えば、１つのＭスロットの電流搬送能力は限定されている。また、Ｍスロット端子は、振動疲労による故障の可能性を有しており、組み込みにおけるオス型端子の正しい位置に非常に敏感な場合がある。換言すれば、的確な接続を確実に形成するには、組み込みにおいて、オス型端子をＭスロットと適正に整列しなければならない。
【発明の開示】
【課題を解決するための手段】
【０００４】
本発明は、第１接触部分を貫通して形成された開口を備えた第１接触部分を有するデュアル型端子に関する。また、第１接触部分に類似の第２接触部分もあり、この第２接触部分も第２接触部分を貫通して形成された開口を有する。第１及び第２接触部分は、第１接触部分の開口と第２接触部分の開口とが整列するように配置される。デュアル型端子は、回路コネクタ部分をも有しており、この回路コネクタ部分は、第１接触部分と第２接触部分との間に配備されて、第１接触部分及び第２接触部分に対する電気的接続を容易にする。
【０００５】
本発明のさらなる適用領域は以下の詳細な説明から明らかになるであろう。以下の詳細な説明及び特定の例は、本発明の好ましい実施形態を示しているが、あくまで例示の目的として考えられており、本発明の範囲を限定するものではないことが理解されるべきである。
【０００６】
本発明は、以下の詳細な説明及び添付の図面からさらに完全に理解されるであろう。
【発明を実施するための最良の形態】
【０００７】
好ましい実施形態に関する以下の説明は、本質的に単なる例示であり、本発明、その適用又は使用を限定するものではない。
【０００８】
ここで図１〜３を参照するとデュアル型端子１０が示されている。本明細書に記載するデュアル型端子１０はＭスロット端子を用いるが、この構造は、接触面積の増大から利点を引き出し得るような他の端子に使用することも可能である。デュアル型端子１０は単一の金属シートから製作することが可能であり、この金属シートを折り曲げて、図２及び３に示すようなデュアル型端子構造を形成する。デュアル型端子１０は、Ｍスロット又はＩ／Ｈスロットとすることができる第１接触部分１２を有する。第１接触部分１２はフランジ２２を備えた開口１４を有し、このフランジ２２は、Ｍスロット端子のメス型部分を構成するために開口１４の中に延びている。フランジ２２は、開口１４がデバイスのブレード端子を摺動自在に受け入れ得るように曲げることができる。フランジ２２は、弾力を有しており、ブレード端子を開口１４内部の所定位置に保持することができる。
【０００９】
第２接触部分１６もフランジ２４を備えた開口１８を有し、このフランジ２４は、開口１８の中に延びて、同様にＭスロットのメス型部分を形成する。第２接触端子１６はフランジ２４と共に、ブレード端子を摺動自在に受け入れるように構成され、フランジ２４は、ブレード端子を所定位置に保持する弾力部材として作用する。
【００１０】
第１接触部分１２及び第２接触部分１６は、開口１４及び１８が整列するように整列される。従って、ブレード端子は、デュアル型端子１０に接続されたときに、第１コネクタ１２の開口１４を貫通して第２コネクタ１６の開口１８の中に延び出るであろう。これによって、ブレード端子及びデュアル型端子１０の間に、単一のＭスロット端子の場合に通常供給されるであろう接触面積の２倍の接触面積が提供される。接触面積が大きくなれば、ブレード端子をデュアル型端子１０により強固に保持することも可能になる。デュアル型端子１０を用いることによって、接触面積が単一のＭスロット構造の接触面積のおよそ２倍になるので、デュアル型端子１０を通るさらに大量の電流を処理できる。また、デュアル型端子１０の構造の２つの接触面積を用いると、ブレード端子が振動によってその接続から離脱する可能性が最小化される。
【００１１】
第１接触部分１２と第２接触部分１６との間には、第１及び第２接触部分１２、１６を連結する回路コネクタ部分２０が設けられる。回路コネクタ部分２０は、第１及び第２接触部分１２、１６を回路に電気的に接続できるように、リードフレーム、ワイヤ又は他の適切な媒体のような回路にハンダ付けすることができる。また、回路コネクタ部分２０を、ハンダ付け以外の他の何らかの手段によって回路に接続することも本発明の範囲内である。例えば、回路コネクタ部分２０をリードフレーム回路に一体的に成形することが可能である。
【００１２】
デュアル型端子１０の全体形状は、成形後には、Ｕ字形の形状になる。
【００１３】
回路コネクタ部分２０は、第１及び第２接触部分１２、１６のいずれか又はその双方と共にプラスチックフォームの中に埋め込み成形することができる。これは、第１及び第２接触部分１２、１６並びに回路コネクタ部分２０を、発生し得る短絡から絶縁するのに役立つであろう。
【００１４】
図２及び３に示す完成デュアル型端子１０を形成するために、第１接触部分及び第２接触部分を鎖線２１の回りに矢印で示す方向に折り曲げる。回路コネクタ部分２０は、第１及び第２接触部分１２、１６の反対側に折り曲げる。
【００１５】
以上の本発明に関する説明は本質的に単なる例示であり、従って、本発明の趣旨から逸脱しない変形態様は本発明の範囲内であることが意図されている。このような変形態様は、本発明の趣旨及び範囲から逸脱したものとみなされるべきではない。
【図面の簡単な説明】
【００１６】
【図１】折り曲げられていないデュアル型端子を上から見た平面図である。
【図２】デュアル型端子の第１接触部分を上から見た平面図である。
【図３】Ｕ字形のデュアル型端子の側面図である。
【図１】
2009526369.tif 000003
【図２】
2009526369.tif 000004
【図３】
2009526369.tif 000005
【国際調査報告】
2009526369.tif 000006
2009526369.tif 000007